(57)【特許請求の範囲】
【請求項１】
充電器から電磁波によって電力を受電する受電部と、
電子機器がユーザの耳に近接された場合における音声出力モードである第１モード、又は電子機器がユーザの耳から離間された場合における音声出力モードである第２モードにて音声出力するスピーカ部と、
前記充電器を識別するための識別情報を受信し、当該識別情報に基づいて、所定の場所に配置された充電器であるか否かを判断する判断部と、
前記判断部によって前記所定の場所以外の他の場所に配置された充電器であると判断された場合には、音声を文字に変換する変換部と、
前記変換部によって変換された文字を表示する表示部と、を備え、
前記スピーカ部は、前記判断部によって前記所定の場所に配置された充電器であると判断された場合には、前記受電部で電力を受電するときに、前記第２モードで音声出力する
電子機器。
【請求項２】
前記充電器に第２のスピーカが配置される場合には、前記第２モードになると、前記充電器に配置された第２のスピーカから音声を出力させるよう、当該音声のデータを前記充電器に送信する送信部をさらに備える
請求項１に記載の電子機器。
【請求項３】
前記充電器から電子機器が離れたことを検出する検出部をさらに備え、
前記スピーカ部は、前記第２モードで音声出力している場合に、前記検出部によって前記充電器から電子機器が離れたことを検出されると、前記第１モードで音声出力する
請求項１又は２に記載の電子機器。
【請求項４】
通信網に接続して音声のデータを受信することが可能な通信部をさらに備え、
前記スピーカ部は、前記音声のデータに基づいた前記音声を出力する
請求項１から３のいずれか１項に記載の電子機器。
【請求項５】
前記第２モードは、前記スピーカ部から出力される音声の音量が前記第１モードの場合よりも大きいモードである
請求項１から４のいずれか１項に記載の電子機器。
【請求項６】
スピーカ部は、電子機器がユーザの耳に近接された場合に、ユーザの耳に近接するレシーバと、レシーバとは異なる位置に配置されたスピーカとを備え、
前記第１モードの場合には、前記レシーバから音声が出力され、前記第２モードの場合には、前記スピーカから音声が出力される
請求項１から５のいずれか１項に記載の電子機器。
【請求項７】
軟骨に振動を伝達することによってユーザに音声を聞かせる伝導部をさらに備え、
前記第１モードの場合には、前記スピーカ部の音声出力に代えて、前記伝導部によってユーザに音声を聞かせる
請求項１に記載の電子機器。
【発明の詳細な説明】
【技術分野】
【０００１】
本発明は、充電器から出力される電磁波によって電力を受電することが可能な電子機器に関する。
【背景技術】
【０００２】
携帯電話機等の電子機器には、ドライブレコーダとして機能させるために、自動車に搭載されるものがある。その電子機器は、自動車に搭載されると、電子機器を収容するクレドール（非接触型の充電器）から電力が供給されると共に、ヘッドセット等のハンズフリー機器と通信して接続するようになっている（特許文献１参照）。
【先行技術文献】
【特許文献】
【０００３】
【特許文献１】特開２０１１−１７１７９８号公報
【発明の概要】
【発明が解決しようとする課題】
【０００４】
しかしながら、特許文献１に記載の電子機器は、自動車に搭載されていない場合には、電力が連続して供給されることはなく、またハンズフリーモードで通話することができない。
そして、その電子機器は、例えば、自動車に搭載されていないときに通話が行われることにより、二次電池の充電容量が少なくなった場合には、非接触充電をしなければならないが、自動車に搭載されていないためハンズフリーモードで通話をすることができない。
したがって、その電子機器の非接触充電が行われている場合には、ユーザは、その電子機器から離れて通話を行わなければならず、通話を継続することが困難であった。
【０００５】
本発明は、通話を行うときに充電器から電磁波によって電力を受電する場合でも、通話を継続することができる電子機器を提供することを目的とする。
【課題を解決するための手段】
【０００６】
本発明の電子機器は、充電器から電磁波によって電力を受電する受電部と、電子機器がユーザの耳に近接された場合における音声出力モードである第１モード、又は電子機器がユーザの耳から離間された場合における音声出力モードである第２モードにて音声出力するスピーカ部と、を備え、前記スピーカ部は、前記受電部が電力を受電している場合には、前記第２モードにて音声出力することを特徴とする。
【０００７】
また、電子機器は、前記充電器を識別するための識別情報を受信し、当該識別情報に基づいて、所定の場所に配置された充電器であるか否かを判断する判断部をさらに備え、前記スピーカ部は、前記判断部によって前記所定の場所に配置された充電器であると判断された場合には、前記受電部で電力を受電するときに、前記第２モードで音声出力することが好ましい。
【０００８】
また、電子機器は、前記判断部によって前記所定の場所以外の他の場所に配置された充電器であると判断された場合には、音声を文字に変換する変換部と、前記変換部によって変換された文字を表示する表示部と、をさらに備えることが好ましい。
【０００９】
また、電子機器は、前記充電器に第２のスピーカが配置される場合には、前記第２モードになると、前記充電器に配置された第２のスピーカから音声を出力させるよう、当該音声のデータを前記充電器に送信する送信部をさらに備えることが好ましい。
【００１０】
また、電子機器は、前記充電器から電子機器が離れたことを検出する検出部をさらに備え、前記スピーカ部は、前記第２モードで音声出力している場合に、前記検出部によって前記充電器から電子機器が離れたことを検出されると、前記第１モードで音声出力することが好ましい。
【００１１】
また、電子機器は、通信網に接続して音声のデータを受信することが可能な通信部をさらに備え、前記スピーカ部は、前記音声のデータに基づいた前記音声を出力することが好ましい。
【００１２】
また、前記第２モードは、前記スピーカ部から出力される音声の音量が前記第１モードの場合よりも大きいモードであることが好ましい。
【００１３】
また、スピーカ部は、電子機器がユーザの耳に近接された場合に、ユーザの耳に近接するレシーバと、レシーバとは異なる位置に配置されたスピーカとを備え、前記第１モードの場合には、前記レシーバから音声が出力され、前記第２モードの場合には、前記スピーカから音声が出力されることが好ましい。
【００１４】
また、本発明の電子機器は、充電器から電磁波によって電力を受電する受電部と、ユーザの耳に当接されることによって音声をユーザに伝える骨伝導部と、音声出力するスピーカ部と、を備え、前記受電部が電力を受電していない場合には、前記骨伝導部を駆動させ、前記受電部が電力を受電している場合には、前記スピーカ部を駆動させる制御部と、を備えることを特徴とする。
【００１５】
また、本発明の電子機器は、充電器から電磁波によって電力を受電する受電部と、ユーザの耳に当接されることによって音声をユーザに伝える軟骨伝導部と、音声出力するスピーカ部と、を備え、前記受電部が電力を受電していない場合には、前記軟骨伝導部を駆動させ、前記受電部が電力を受電している場合には、前記スピーカ部を駆動させる制御部と、を備えることを特徴とする。
【発明の効果】
【００１６】
本発明によれば、通話を行うときに充電器から電磁波によって電力を受電する場合でも、通話を継続することができる。
【図面の簡単な説明】
【００１７】
【図１】実施形態に係るスマートフォンの外観を示す斜視図である。
【図２】実施形態に係るスマートフォンの外観を示す正面図である。
【図３】実施形態に係るスマートフォンの外観を示す背面図である。
【図４】ホーム画面の一例を示す図である。
【図５】実施形態に係るスマートフォンの機能を示すブロック図である。
【図６】充電器の機能を示すブロック図である。
【図７】コントローラの機能を示すブロック図である。
【図８】第１モード及び第２モードを切り替える基本動作について説明するためのフローチャートである。
【図９】スマートフォンの変形例について説明するための概略ブロック図である。
【発明を実施するための形態】
【００１８】
本発明を実施するための実施形態を、図面を参照しつつ詳細に説明する。以下では、電子機器の一例として、スマートフォンについて説明する。
【００１９】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２０】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２１】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２２】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２３】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２４】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２５】
タッチは、一の接触によるジェスチャである。すなわち、タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２６】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２７】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２８】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２９】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３０】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３１】
本実施形態では、１本の指により行われるジェスチャをシングルタッチジェスチャと呼ぶことがある。また、本実施形態では、２本以上の指により行われるジェスチャをマルチタッチジェスチャと呼ぶことがある。ピンチイン及びピンチアウトは、マルチタッチジェスチャである。また、タップ、フリック及びスワイプ等は、１本の指で行われればシングルタッチジェスチャであり、２本以上の指で行われればマルチタッチジェスチャである。
【００３２】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３３】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３４】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３５】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３６】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３７】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３８】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３９】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００４０】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００４１】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００４２】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００４３】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４４】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００４５】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、それぞれ音量を上げるボタン、音量を下げるボタンである。
【００４６】
照度センサ４は、照度を検出する。例えば、照度とは、光の強さ、明るさ、輝度等である。照度センサ４は、例えば、ディスプレイ２Ａの輝度の調整に用いられる。
【００４７】
近接センサ５は、近隣の物体の存在を非接触で検出する。近接センサ５は、例えば、タッチスクリーンディスプレイ２が顔に近付けられたことを検出する。
【００４８】
通信ユニット（通信部）６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。したがって、通信ユニット６は、通信網に接続して通話のための通信を行うことが可能である。
【００４９】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００５０】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００５１】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００５２】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００５３】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００５４】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５５】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００５６】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５７】
カメラ１２は、フロントフェイス１Ａに面している物体を撮影するインカメラである。カメラ１３は、バックフェイス１Ｂに面している物体を撮影するアウトカメラである。
【００５８】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５９】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００６０】
ここで、スマートフォン１に電力を供給する非接触型の充電器１００の概略について説明する。図６は、充電器１００の機能を示すブロック図である。
充電器１００は、無線通信部１０１と、スピーカ１０２と、送電部１０３と、を備える。無線通信部１０１は、スマートフォン１が充電器１００に近づいた場合に、スマートフォン１と通信を行う。また、無線通信部１０１は、充電器１００を識別するための識別情報を定期的に送信する。スピーカ１０２は、音声を出力する。送電部１０３は、コイル又はアンテナ等を備え、そのコイル又はアンテナ等から電磁波を出力する。その電磁波がスマートフォン１によって受信されると、スマートフォン１は、電磁波によって電力を受電する。また、制御部１０４は、無線通信部１０１、スピーカ１０２及び送電部１０３を制御する。
【００６１】
次に、スマートフォン１の特徴部分について説明する。上述したように構成されるスマートフォン１は、通話を行うときに充電器１００から電力を受電する場合でも、通話を継続することができる機能を有する。
具体的には、スマートフォン１は、図５に示すように、非接触型の充電（非接触充電）を可能にする受電部６０と、スピーカ部６１とを備える。
【００６２】
受電部６０は、充電器１００（図６参照）から電磁波によって電力を受電する。すなわち、受電部６０は、充電器１００から出力された電磁波をコイル（図示せず）で受電し、電磁誘導にて当該電磁波の単位時間あたりのエネルギーを電力に変換する。受電部６０は、変換された電力を二次電池（図示せず）に充電する。
【００６３】
スピーカ部６１は、スマートフォン１（ハウジング２０）がユーザの耳に近接された場合における音声出力モードである第１モード、又はスマートフォン１（ハウジング２０）がユーザの耳から離間された場合における音声出力モードである第２モードにて音声を出力する。
【００６４】
第１モードは、スマートフォン１がユーザの耳に近づけられた場合に、最適化された音量にてスピーカ部６１から音声が出力され、スマートフォン１がユーザの耳から離された場合に、ユーザにとって小さすぎる音量でスピーカ部６１から音声が出力されるモードである。
【００６５】
第２モードは、例えば、スピーカ部６１から出力される音声の音量が第１モードの場合よりも大きいモードである。スピーカ部６１から第２モードにて音声が出力される場合には、ユーザは、スマートフォン１をそのユーザの耳の近くに配置しなくとも、音量が大きいためスピーカ部６１から出力される音声を聞くことができる。すなわち、第２モードは、ハンズフリーモードである。
【００６６】
また、スピーカ部６１は、レシーバ７と、スピーカ６２とを備えることが好ましい。レシーバ７は、スマートフォン１がユーザの耳に近接された場合に、ユーザの耳に近接する。スピーカ６２は、レシーバ７とは異なる位置に配置される。例えば、第１モードの場合には、レシーバ７から音声が出力される。また、第２モードの場合には、スピーカ６２から音声が出力される。
【００６７】
また、スピーカ部６１は、受電部６０が電力を受電している場合には、第２モードにて音声を出力する。すなわち、コントローラ１０は、通信ユニット６によって通話のための通信が行われている場合に、スマートフォン１が非接触型の充電器１００に置かれると、スピーカ部６１から音声が出力されるモードを第１モードから第２モードに切り替える。これにより、スピーカ部６１は、通信ユニット６によって通話のための通信が行われることにより得られた相手側の音声を第２モードにて出力する。ここで、コントローラ１０は、受電部６０によって電力が受電された場合（一例として、予め定めた閾値以上の電力を受電した場合）に、スマートフォン１が充電器１００に置かれたと判断する。
【００６８】
これにより、スマートフォン１は、通話を行うときに充電器１００から送信された電磁波に基づいて電力に変換する場合でも、通話を継続させることができる。
【００６９】
なお、コントローラ１０は、第２モードになる場合に、ユーザによってボタン３Ｅ（図１参照）が操作されると、スピーカ部６１から出力される音声の音量を大きくし、ユーザによってボタン３Ｆ（図１参照）が操作されると、スピーカ部６１から出力される音声の音量を小さくすることが好ましい。
また、コントローラ１０は、マイクによってスマートフォン１の周囲の雑音を入力し、その雑音よりもスピーカ部６１から出力される音声が大きくなるように音量を調整することが好ましい。
【００７０】
また、スマートフォン１は、受信部６３と、判断部１０Ａとをさらに備えることが好ましい。受信部６３は、充電器１００を識別するための識別情報をその充電器１００から受信する。すなわち、受信部６３は、スマートフォン１が充電器１００に近づいた場合、より具体的には、充電器１００に配置される無線通信部１０１の通信範囲内にスマートフォン１が入った場合に、無線通信部１０１から送信された識別情報を受信する。識別情報は、充電器１００毎に設定されており、例えば、数字データ又は文字データから構成される。
【００７１】
判断部１０Ａは、受信部６３によって受信された識別情報に基づいて、当該識別情報を送信した充電器が所定の場所に配置された充電器１００であるか否かを判断する。判断部１０Ａは、図７に示すように、コントローラ１０の一機能として実現される。所定の場所は、例えば、ユーザの自宅等の公共の場所ではない所である。
ストレージ９には、所定の場所に配置された充電器１００の識別情報が予め記憶されている。判断部１０Ａは、受信部６３によって受信された識別情報と、ストレージ９に予め記憶された識別情報とに基づいて、所定の場所に配置された充電器１００であるか否かを判断する。
【００７２】
スピーカ部６１は、判断部１０Ａによって所定の場所に配置された充電器１００であると判断された場合には、受電部６０で電力を受電するときに、第２モードで音声出力する。すなわち、コントローラ１０は、通信ユニット６によって通話が行われている場合に、スマートフォン１が非接触型の充電器１００に置かれることにより、判断部１０Ａによってその充電器１００が所定の場所に配置されたものであると判断されると、スピーカ部６１から音声が出力されるモードを第１モードから第２モードに切り替える。これにより、スピーカ部６１は、第２モードにて音声を出力する。
【００７３】
よって、スマートフォン１は、公共の場所ではない所定の場所に配置された充電器１００に置かれた場合には第２モードに設定されるので、出力される音声が第三者に聞かれることを低減でき、また通話の音声によって第三者に迷惑がかかることを低減することができる。
【００７４】
また、スマートフォン１は、図５に示すように、変換部６４をさらに備えることが好ましい。変換部６４は、上述した判断部１０Ａによって所定の場所以外の他の場所に配置された充電器１００であると判断された場合には、音声を文字に変換する。すなわち、コントローラ１０は、判断部１０Ａによって所定の場所以外の他の場所に配置された充電器１００であると判断された場合には、通信ユニット６によって取得された相手側の音声のデータを変換部６４に供給する。変換部６４は、通信ユニット６によって取得された相手側の音声のデータを音声認識によって文字情報に変換する。コントローラ１０は、変換部６４によって変換された文字情報を取得すると、その文字情報に基づく文字をタッチスクリーンディスプレイ２（表示部）に表示させる。すなわち、タッチスクリーンディスプレイ２は、変換部６４によって変換された文字を表示する。
【００７５】
また、コントローラ１０は、判断部１０Ａによって所定の場所以外の他の場所に配置された充電器１００であると判断された場合には、充電器１００に対向しない面に配置されたカメラ１２又はカメラ１３によってユーザの顔を撮像させる。具体的な一例としては、コントローラ１０は、カメラ１２及びカメラ１３の両方を起動させ、それぞれのカメラ１２，１３によって撮像された画像を認識して、顔が撮像されているか否かを判断する。そして、コントローラ１０は、充電器１００に対向する面に配置されたカメラでは顔を撮像することができないので、画像認識（顔認識）を行うことができない。このため、コントローラ１０は、顔認識を行うことができない画像を撮像したカメラの動作を停止させる。さらに、コントローラ１０は、カメラによって撮像された画像に基づいて顔を認識することができた場合には、ユーザの口の動きを読み取って何を喋っているのか認識し、認識の結果に基づいた音声のデータを通信ユニット６によって相手側の携帯電話機に送信させる。その認識及び音声出力には、例えば、口の形と、その口の形のときに発話される言葉と、その言葉の音声とを対応付けた、ストレージ９に記憶されたデータが利用される。これにより、コントローラ１０は、ユーザが声を発しなくとも、口を動かすだけでその口の動き（口の形）に対応する音声をストレージ９から読み出して相手側の携帯電話機に送信する。
【００７６】
なお、コントローラ１０は、タッチスクリーンディスプレイ２に表示された文字入力ボタンが操作された場合には、操作されたボタン（文字）に対応する音声を通信ユニット６によって相手側の携帯電話機に送信させてもよい。
例えば、文字が割り当てられたボタンと、各ボタンに割り当てられた文字の音声とを対応付けたデータをストレージ９に予め記憶させておく。そして、文字「あ」が割り当てられたボタンが操作された場合には、コントローラ１０は、ストレージ９に記憶されたデータを参照することに基づいて、文字「あ」に対応する音声「あ」のデータを通信ユニット６によって相手側の携帯電話機に送信させる。
【００７７】
この場合、音声と、その音声を短縮した文字とを対応づけておいてもよい。そして、その文字に対応するボタンが操作された場合には、コントローラ１０は、その文字に対応する音声のデータを通信ユニット６によって相手側の携帯電話機に送信させる。
具体的な一例としては、音声「遊びに行きます」と、文字「あ」とを対応付けておく。そして、タッチスクリーンディスプレイ２に表示された、文字「あ」が割り当てられたボタンが操作された場合には、コントローラ１０は、文字「あ」に対応付けられている音声「遊びに行きます」のデータを通信ユニット６によって相手側の携帯電話機に送信させる。
【００７８】
よって、スマートフォン１は、判断部１０Ａによって所定の場所以外の他の場所に配置された充電器１００であると判断された場合には、第２モードにはならず、相手側の発話をタッチスクリーンディスプレイ２に文字で表示させるので、通話内容が第三者に聞かれることを低減でき、また通話の音声によって第三者に迷惑がかかることを低減できる。
【００７９】
また、スマートフォン１は、判断部１０Ａによって所定の場所以外の他の場所に配置された充電器１００であると判断された場合には、ユーザが声を発しなくとも、口を動かすだけでスマートフォン１が当該口の動きに応じた音声のデータに合成して、又は入力された文字から音声のデータを合成して、合成した音声のデータを相手側の携帯電話機に送信するので、通話内容が第三者に聞かれることを低減でき、また通話によって第三者に迷惑がかかることを低減できる。
【００８０】
また、スマートフォン１は、送信部６５をさらに備えることが好ましい。送信部６５は、充電器１００にスピーカ１０２（図６参照）が配置される場合には、第２モードになると、充電器１００に配置されたスピーカ１０２から音声を出力させるよう、当該音声のデータを充電器１００に送信する。
【００８１】
すなわち、コントローラ１０は、通信ユニット６によって通話のための通信が行われている場合に、第２モードになると、通信ユニット６によって取得された相手側の音声のデータを送信部６５に供給する。送信部６５は、充電器１００の無線通信部１０１（図６参照）に対して、その音声のデータを送信する。充電器１００は、無線通信部１０１によって音声のデータを受信すると、そのデータに基づいた音声をスピーカ１０２から出力させる。なお、充電器１００のスピーカ１０２から出力される音声の音量は、充電器１００に配置された、音量を調整する手段（一例として音量調整ダイヤル）（図示せず）がユーザによって操作されることに基づいて調整される。
【００８２】
これにより、スマートフォン１は、第２モードになる場合に、充電器１００のスピーカ１０２から相手側の音声を出力させることができる。
なお、このように、スピーカ１０２が備えられた充電器１００から音声が出力される場合、当該充電器１００は、前述した実施形態のように識別情報を送信し、当該充電器１００から受信した識別情報に基づいて、スマートフォン１は、音声のデータを充電器１００に送信するか否かを決定してもよい。
【００８３】
また、スマートフォン１は、検出部をさらに備えることが好ましい。検出部は、充電器１００からスマートフォン１が離されたことを検出する。具体的な一例としては、検出部は、加速度センサ１５である。すなわち、加速度センサ１５は、受電部６０によって電力を受電している場合に、加速度が加わると、充電器１００からスマートフォン１が離されたことを検出する。この場合、コントローラ１０は、スピーカ部６１から第２モードで出力される音声を、第１モードで出力されるように切り替える。すなわち、スピーカ部６１は、第２モードで音声出力する場合に、加速度センサ１５（検出部）によって充電器１００とスマートフォン１との距離が離されたことを検出されると、第１モードで音声出力する。
【００８４】
なお、検出部は、受電部６０であってもよい。この場合、受電部６０は、電力を受電している場合に、受電される電力が予め設定された閾値よりも小さくなったときに、充電器１００からスマートフォン１が離されたと検出する。
また、検出部は、受信部６３であってもよい。この場合、受信部６３は、充電器１００によって電力が受電されている場合に、充電器１００から送信される識別信号を受信できなくなった場合に、充電器１００からスマートフォン１が離されたと検出する。
【００８５】
受電部６０によって電力を受電する場合に、スマートフォン１が充電器１００から離れた場合には、ユーザは、スマートフォン１を耳に当てて通話する可能性がある。このため、スマートフォン１は、第１モードでスピーカ部６１から音声を出力する。
【００８６】
また、コントローラ１０は、受電部６０によって受電された電力を二次電池に充電する場合に、二次電池の充電容量を監視することにより、二次電池が満充電されるまでの時間、又は二次電池が所定の充電容量（一例として、満充電を１００％としたときの６０％）に到達するまでは、タッチスクリーンディスプレイ２に充電容量を表示させることが好ましい。これにより、スマートフォン１は、二次電池の充電容量が回復するまでの時間をユーザに示すことができる。
【００８７】
次に、第１モード及び第２モードを切り替える基本動作について説明する。図８は、第１モード及び第２モードを切り替える基本動作について説明するためのフローチャートである。
【００８８】
ステップＳＴ１において、コントローラ１０は、通信ユニット６が通話のための通信中であるか否かを判断する。ここで、通話のための通信中の場合には、スピーカ部６１（レシーバ７）は、第１モードにて音声を出力する。通話のための通信中ではないと判断された場合（Ｎｏ）には、ステップＳＴ１の判断が再度行われる。通話のための通信中であると判断された場合（Ｙｅｓ）には、処理は、ステップＳＴ２に進む。
【００８９】
ステップＳＴ２において、コントローラ１０は、非接触充電が開始されたか否かを判断する。すなわち、コントローラ１０は、受電部６０によって電力が受電された場合に、非接触充電が開始されたと判断する。非接触充電が開始されていない場合（Ｎｏ）には、ステップＳＴ２の判断が再度行われる。非接触充電が開始された場合（Ｙｅｓ）には、処理は、ステップＳＴ３に進む。
【００９０】
ステップＳＴ３において、コントローラ１０は、通信ユニット６によって通話のための通信が行われることにより得られた相手側の音声をスピーカ部６１（レシーバ７又はスピーカ６２）から第２モードで出力させる。
【００９１】
ステップＳＴ４において、コントローラ１０は、スマートフォン１が充電器１００から離されたか否かを判断する。一例として、コントローラ１０は、加速度センサ１５によって加速度が検出された場合に、スマートフォン１が充電器１００から離されたと判断する。スマートフォン１が充電器１００から離れていない場合（Ｎｏ）には、ステップＳＴ４の判断が再度行われる。スマートフォン１が充電器１００から離れた場合（Ｙｅｓ）には、処理は、ステップＳＴ５に進む。
【００９２】
ステップＳＴ５において、コントローラ１０は、通信ユニット６によって通話のための通信が行われることにより得られた相手側の音声をスピーカ部６１から第１モードで出力させる。
ステップＳＴ５の後は、処理は、終了する。
【００９３】
次に、上述したスマートフォン１の変形例について説明する。図９は、スマートフォン１の変形例について説明するための概略ブロック図である。変形例のスマートフォン１は、図５に示す機能構成と同様の構成であるため、構成の詳細な説明を省略する。すなわち、変形例のスマートフォン１は、主に、受電部６０と、骨伝導部６６と、スピーカ部６１（レシーバ７及びスピーカ６２）と、を備える。
受電部６０は、図５等を用いて説明したものと同構成であり、充電器１００から電磁波によって電力を受電する。
【００９４】
骨伝導部６６は、受電部６０が電力を受電していない場合に、スマートフォン１（ハウジング２０）がユーザに当接された場合における音声出力モードである第１モードで音声出力する。例えば、骨伝導部６６は、音声に基づいて振動する振動部（図示せず）を備え、その振動部の振動をユーザの骨に伝えるようになっている。これにより、ユーザは、骨伝導によって音を聞くことができる。
【００９５】
本変形例の場合、コントローラ１０は、受電部６０によって電力を受電していない場合には、通信ユニット６（図９には図示せず）によって通話のための通信が行われることにより得られた相手側の音声のデータに基づいた振動を骨伝導部６６に出力させる。骨伝導部６６は、相手側の音声のデータが供給されると、その音声に基づいて上述した振動部を振動させる。そして、スマートフォン１とユーザの頭部とが接触している場合には、振動部により発生した振動は、ユーザの骨に伝達される。これにより、ユーザは、骨伝導によって音を聞くことができる。
【００９６】
スピーカ部６１は、受電部６０が電力を受電している場合に、スマートフォン１（ハウジング２０）がユーザの耳から離間された場合における音声出力モードである第２モードで音声出力する。すなわち、コントローラ１０は、受電部６０が電力を受電している場合には、通信ユニット６（図９には図示せず）によって通話のための通信が行われることにより得られた相手側の音声をスピーカ部６１から出力させる。そして、スピーカ部６１としてのレシーバ７、又はスピーカ部６１としてのスピーカ６２は、相手側の音声を出力する。具体的には、コントローラ１０は、相対的に大きな音量で相手側の音声をレシーバ７から出力させ、又はユーザが聞くことが可能な音量で相手側の音声をスピーカ６２から出力させる。
【００９７】
これにより、スマートフォン１は、通話が行われる最中に充電器１００から電力を受電する場合でも、通話を継続させることができる。
【００９８】
なお、変形例のスマートフォン１は、上述した骨伝導部６６の代わりに、軟骨伝導部（図示せず）を備えていてもよい。その軟骨伝導部は、ハウジング２０を振動させる圧電振動部を備える。圧電振動部は、通信ユニット６（図９には図示せず）によって通話が行われることにより得られた相手側の音声のデータに基づいて振動する。そして、スマートフォン１がユーザの耳に近づけられた場合には、圧電振動部の振動（ハウジング２０の振動）は、ユーザの頭部を構成する軟骨等を介して鼓膜に伝達される。これにより、ユーザは、相手側の音声を聞くことができる。
【００９９】
また、上述した実施形態では、通信ユニット６によって通話が行われることにより得られた相手側の音声をスピーカ部６１から出力させる場合について説明した。しかしながら、スマートフォン１にイヤホンが接続されている場合には、コントローラ１０は、通信ユニット６によって通話が行われることにより得られた相手側の音声をイヤホンから出力させる。
【０１００】
また、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、外部インターフェイス１４に接続される読み取り装置が読み取り可能なＣＤ、ＤＶＤ、又はＢｌｕ−ｒａｙ（登録商標）等の記憶媒体に記憶されていてもよい。
【０１０１】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。また、照度センサ４と近接センサ５は、別体ではなく、単一のセンサにより構成されてもよい。
【０１０２】
本発明を完全かつ明瞭に開示するために特徴的な実施例に関し記載してきた。しかし、添付の請求項に係る発明は、上記実施例に限定されるべきものでなく、本明細書に示した基礎的事項の範囲内で当該技術分野の当業者が創作しうるすべての変形例及び代替可能な構成を具現化するように構成されるべきである。
【０１０３】
例えば、図５に示した各プログラムは、複数のモジュールに分割されていてもよいし、他のプログラムと結合されていてもよい。
【０１０４】
また、上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【０１０５】
また、上記の実施形態では、コントローラが、第１のシングルタッチジェスチャ及び第２のシングルタッチジェスチャが、１本の指で円弧を描くジェスチャであるものとしたが、これに限られない。
例えば、タッチスクリーン２Ｂの検出方式が静電容量方式である場合、コントローラ１０は、タッチされた面積を検出するようにしてもよい。このようにすることで、コントローラ１０は、例えば、指の腹でタッチスクリーンディスプレイ２にタッチされた場合のタッチ面積を検出できる。以下、シングルタッチジェスチャによってタッチスクリーンディスプレイ２に接触した面積を接触面積という。
【０１０６】
この場合において、コントローラ１０は、接触面積が第１の面積以上である状態で、所定時間内に第１の方向（例えば右方向）へ接触位置を移動させるジェスチャが行われると、これらのジェスチャを第１のシングルタッチジェスチャとしてもよい。
また、コントローラ１０は、第１の面積以上である状態で、所定時間内に第２の方向（例えば左方向）へ接触位置を移動させるジェスチャが行われると、これらのジェスチャを第２のシングルタッチジェスチャとしてもよい。
【０１０７】
また、コントローラ１０は、接触面積が第２の面積以上である状態において、所定時間内にフリックするジェスチャが行われると、これらのジェスチャを第１のシングルタッチジェスチャとしてもよい。また、コントローラ１０は、接触面積が第２の面積より大きい第３の面積以上である状態において、所定時間内にフリックするジェスチャが行われると、これらのジェスチャを第２のシングルタッチジェスチャとしてもよい。
【０１０８】
本実施形態においては、スマートフォン１には、受信部６３を備える構成を記載したものの、実施形態はこれに限られない。例えば、受電部６０が、送電部１０３から電磁波を介して電力を受電すると共に、識別情報等の情報を送信する、電力用の電磁波とは異なる周波数の電磁波を受信するようにしてもよい。
同様に、充電器１００も無線通信部１０１を備えずに、識別情報を送信するための電磁波であって、電力用の電磁波とは周波数の異なる電磁波を送電部１０３によって送信してもよい。
【符号の説明】
【０１０９】
１    スマートフォン
２    タッチスクリーンディスプレイ
６    通信ユニット（通信部）
７    レシーバ
９    ストレージ
１０    コントローラ
１０Ａ  判断部
１２、１３  カメラ
１５    加速度センサ
２０    ハウジング
６０    受電部
６１    スピーカ部
６２    スピーカ
６３    受信部
６４    変換部
６５    送信部
６６    骨伝導部
１００  充電器
１０２  スピーカ
【図１】
0005731362.tif 000002
【図２】
0005731362.tif 000003
【図３】
0005731362.tif 000004
【図４】
0005731362.tif 000005
【図５】
0005731362.tif 000006
【図６】
0005731362.tif 000007
【図７】
0005731362.tif 000008
【図８】
0005731362.tif 000009
【図９】
0005731362.tif 000010